(57)【特許請求の範囲】
【請求項１】
上下の高さを有して左右に延在するフェース部と、前記フェース部の上部から後方に延在するクラウン部と、前記フェース部の下部から後方に延在するソール部と、前記クラウン部と前記ソール部の間で前記フェース部のトウ側縁とヒール側縁との間をフェースバックを通って延在するサイド部とが金属材料で形成されその内部が空間とされる中空状のヘッド本体と、
前記クラウン部、前記サイド部、前記ソール部の少なくとも１箇所に形成された開口部を前記ヘッド本体の外側から閉塞する繊維強化樹脂材料からなるカバー体と、
を備える中空状のゴルフクラブヘッドであって、
前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、
前記基準状態で、前記水平面および前記フェース中心基準断面と直交しリーディングエッジに当接する平面を第１平面とし、前記第１平面と平行し前記フェースバックの外面に当接する平面を第２平面としたとき、前記第１平面と前記第２平面との距離をヘッド最大幅Ｍとし、
前記第１平面と前記第２平面とを結ぶ寸法の１／２の位置で前記第１平面および前記第２平面と平行する平面を中心面とし、前記中心面から前記フェース部側に前記ヘッド最大幅Ｍの１／４離間した位置で前記中心面と平行する平面を第３平面とし、前記中心面から前記フェースバック側に前記ヘッド最大幅Ｍの１／４離間した位置で前記中心面と平行する平面を第４平面としたとき、前記第３平面と前記第４平面とで区画された第１範囲内に前記カバー体が位置し、
前記中心面と平行し前記カバー体の最も前記フェース部寄りの縁部を通る平面を第５平面とし、前記中心面と平行し前記カバー体の最も前記フェースバック寄りの縁部を通る平面を第６平面としたとき、前記第５平面と前記第６平面とで区画された第２範囲のほぼ中央位置において前記カバー体が前記開口部を介して前記空間に対向する前記カバー体の内面の部分を前記空間側から支持する金属材料からなるリブが前記開口部を横切るようにトウヒール方向に延在して形成されており、
前記リブは、前記ヘッド本体と一体に設けられ、かつ、前記リブの金属材料は前記ヘッド本体の金属材料と同一であり、
前記リブはトウヒール方向に延在してその延在方向の両端が前記開口部の縁に接続され、
前記リブは、断面がＴ字状を呈しており、支持壁部と、補強壁部とを備え、
前記支持壁部は、前記カバー体が前記空間に対向する前記カバー体の内面に重ね合わされ、
前記補強壁部は、前記支持壁部の延在方向と直交する幅方向の中央で前記支持壁部が前記空間に対向する前記支持壁部の内面から前記支持壁部の全長にわたって前記空間側に突出している、
ことを特徴とするゴルフクラブヘッド。
【請求項２】
前記リブが前記カバー体を支持している部分のトウヒール方向の寸法は、前記カバー体のトウヒール方向の寸法の全長とほぼ同じである、
ことを特徴とする請求項１記載のゴルフクラブヘッド。
【請求項３】
前記リブは、前記カバー体の前記内面から前記ヘッド本体が前記空間に対向する前記ヘッド本体の内面に連続して延在形成され、
前記リブは、前記カバー体の前記内面および前記ヘッド本体の前記内面からなる前記ゴルフクラブヘッドの内面の全周の８０％以上にわたって延在形成されている、
ことを特徴とする請求項１または２記載のゴルフクラブヘッド。
【請求項４】
前記ヘッド本体のうち、前記クラウン部と前記サイド部との境の全長にわたって帯状に延在する境界部が形成され、
前記境界部は、前記ヘッド本体を構成する金属材料で形成されている、
ことを特徴とする請求項１から３の何れか１項記載のゴルフクラブヘッド。
【請求項５】
前記境界部のうち、前記第１範囲内の部分は、前記境界部に隣接する前記クラウン部および前記サイド部の肉厚よりも大きな寸法の肉厚で形成された厚肉部で構成されている、
ことを特徴とする請求項４記載のゴルフクラブヘッド。
【請求項６】
前記ゴルフクラブヘッドのヘッド質量は、２１０ｇ以下であり、
前記基準状態で前記ゴルフクラブヘッドの重心点を通り前記水平面に直交する垂直な直線を回転軸とする慣性モーメントの大きさを慣性モーメントＭＩ（ｇ・ｃｍ２）とするとき、前記慣性モーメントＭＩが６２００ｇ・ｃｍ２以下である、
ことを特徴とする請求項１から５の何れか１項記載のゴルフクラブヘッド。
【請求項７】
前記ゴルフクラブヘッドのヘッド体積が５００ｃｃ以下であり、
前記ヘッド最大幅Ｍが１３０ｍｍ以下である、
ことを特徴とする請求項１から６の何れか１項記載のゴルフクラブヘッド。
【請求項８】
前記ヘッド本体のうち、前記第１平面と前記第３平面とで区画される第３範囲に位置する部分と、前記第４平面から前記フェースバックまでの第４範囲に位置する部分との少なくとも一方の部分に、前記第１範囲に位置する部分の比重よりも比重の大きな材料で形成された大比重部を設けた、
ことを特徴とする請求項１から７の何れか１項記載のゴルフクラブヘッド。
【請求項９】
上下の高さを有して左右に延在するフェース部と、前記フェース部の上部から後方に延在するクラウン部と、前記フェース部の下部から後方に延在するソール部と、前記クラウン部と前記ソール部の間で前記フェース部のトウ側縁とヒール側縁との間をフェースバックを通って延在するサイド部とが金属材料で形成されその内部が空間とされる中空状のヘッド本体と、
前記クラウン部、前記サイド部、前記ソール部の少なくとも１箇所に形成された開口部を前記ヘッド本体の外側から閉塞する繊維強化樹脂材料からなるカバー体と、
を備える中空状のゴルフクラブヘッドであって、
前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、
前記基準状態で、前記水平面および前記フェース中心基準断面と直交しリーディングエッジに当接する平面を第１平面とし、前記第１平面と平行し前記フェースバックの外面に当接する平面を第２平面としたとき、前記第１平面と前記第２平面との距離をヘッド最大幅Ｍとし、
前記第１平面と前記第２平面とを結ぶ寸法の１／２の位置で前記第１平面および前記第２平面と平行する平面を中心面とし、前記中心面から前記フェース部側に前記ヘッド最大幅Ｍの１／４離間した位置で前記中心面と平行する平面を第３平面とし、前記中心面から前記フェースバック側に前記ヘッド最大幅Ｍの１／４離間した位置で前記中心面と平行する平面を第４平面としたとき、前記第３平面と前記第４平面とで区画された第１範囲内に前記カバー体が位置し、
前記ヘッド本体のうち、前記第４平面から前記フェースバックまでの第４範囲に位置する部分に、前記第４範囲を除く残りの部分の比重よりも比重の大きな材料で形成された大比重部を設け、
前記ヘッド本体のうち前記第４範囲に位置する部分の比重を後部比重Ｇａとし、
前記ヘッド本体のうち前記第１平面と前記第３平面とで区画された第３範囲に位置する部分の比重を前部比重Ｇｂとし、
前記ヘッド本体のうち前記第１範囲に位置する部分の比重を中間部比重Ｇｃとしたとき、
以下の式（１）が満たされる、
ことを特徴とするゴルフクラブヘッド。
Ｇａ＞Ｇｂ＞Ｇｃ……（１）
【発明の詳細な説明】
【技術分野】
【０００１】
本発明はゴルフクラブヘッドに関する。
【背景技術】
【０００２】
ゴルフクラブヘッドでボールを打球した際のボールの方向性の向上を図ることが飛距離を向上させる上で有利であり、そのためには、ゴルフクラブヘッドの重心点回りの慣性モーメントを確保することが重要である。
特許文献１には、中空状の金属製のヘッド本体のクラウン部およびサイド部に開口部を設け、それら開口部を繊維強化樹脂製のカバー体で閉じたゴルフクラブヘッドが提案されている。
このゴルフクラブヘッドでは、ゴルフクラブヘッドの重心点に近い箇所に小さい比重のカバー体を配置すると共に、重心点から離れた箇所に比重の大きな金属製のヘッド本体の部分を配置することで慣性モーメントの向上が図られている。
【先行技術文献】
【特許文献】
【０００３】
【特許文献１】特許第５９５２６５５号公報
【発明の概要】
【発明が解決しようとする課題】
【０００４】
しかしながら、上記従来技術では、カバー体が剛性および弾性率が金属材料よりも小さい繊維強化樹脂を用いていることから、ゴルフクラブヘッドを金属材料のみで構成した場合に比較して、打球時に発生する打球音が低音となり心地よい打球音を得る上で不利がある。
本発明は、このような事情に鑑みてなされたものであり、その目的は、慣性モーメントの向上を図りつつ心地よい打球音を得る上で有利なゴルフクラブヘッドを提供することにある。
【課題を解決するための手段】
【０００５】
上記目的を達成するために、本発明は、上下の高さを有して左右に延在するフェース部と、前記フェース部の上部から後方に延在するクラウン部と、前記フェース部の下部から後方に延在するソール部と、前記クラウン部と前記ソール部の間で前記フェース部のトウ側縁とヒール側縁との間をフェースバックを通って延在するサイド部とが金属材料で形成されその内部が空間とされる中空状のヘッド本体と、前記クラウン部、前記サイド部、前記ソール部の少なくとも１箇所に形成された開口部を前記ヘッド本体の外側から閉塞する繊維強化樹脂材料からなるカバー体と、を備える中空状のゴルフクラブヘッドであって、前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、前記基準状態で、前記水平面および前記フェース中心基準断面と直交しリーディングエッジに当接する平面を第１平面とし、前記第１平面と平行し前記フェースバックの外面に当接する平面を第２平面としたとき、前記第１平面と前記第２平面との距離をヘッド最大幅Ｍとし、前記第１平面と前記第２平面とを結ぶ寸法の１／２の位置で前記第１平面および前記第２平面と平行する平面を中心面とし、前記中心面から前記フェース部側に前記ヘッド最大幅Ｍの１／４離間した位置で前記中心面と平行する平面を第３平面とし、前記中心面から前記フェースバック側に前記ヘッド最大幅Ｍの１／４離間した位置で前記中心面と平行する平面を第４平面としたとき、前記第３平面と前記第４平面とで区画された第１範囲内に前記カバー体が位置し、前記中心面と平行し前記カバー体の最も前記フェース部寄りの縁部を通る平面を第５平面とし、前記中心面と平行し前記カバー体の最も前記フェースバック寄りの縁部を通る平面を第６平面としたとき、前記第５平面と前記第６平面とで区画された第２範囲のほぼ中央位置において前記カバー体が前記開口部を介して前記空間に対向する前記カバー体の内面の部分を前記空間側から支持する金属材料からなるリブが前記開口部を横切るようにトウヒール方向に延在して形成されており、前記リブは、前記ヘッド本体と一体に設けられ、かつ、前記リブの金属材料は前記ヘッド本体の金属材料と同一であり、前記リブはトウヒール方向に延在してその延在方向の両端が前記開口部の縁に接続され、前記リブは、断面がＴ字状を呈しており、支持壁部と、補強壁部とを備え、前記支持壁部は、前記カバー体が前記空間に対向する前記カバー体の内面に重ね合わされ、前記補強壁部は、前記支持壁部の延在方向と直交する幅方向の中央で前記支持壁部が前記空間に対向する前記支持壁部の内面から前記支持壁部の全長にわたって前記空間側に突出していることを特徴とする。
また、本発明は、前記リブが前記カバー体を支持している部分のトウヒール方向の寸法は、前記カバー体のトウヒール方向の寸法の全長とほぼ同じであることを特徴とする。
また、本発明は、前記リブは、前記カバー体の前記内面から前記ヘッド本体が前記空間に対向する前記ヘッド本体の内面に連続して延在形成され、前記リブは、前記カバー体の前記内面および前記ヘッド本体の前記内面からなる前記ゴルフクラブヘッドの内面の全周の８０％以上にわたって延在形成されていることを特徴とする。
また、本発明は、前記ヘッド本体のうち、前記クラウン部と前記サイド部との境の全長にわたって帯状に延在する境界部が形成され、前記境界部は、前記ヘッド本体を構成する金属材料で形成されていることを特徴とする。
また、本発明は、前記境界部のうち、前記第１範囲内の部分は、前記境界部に隣接する前記クラウン部および前記サイド部の肉厚よりも大きな寸法の肉厚で形成された厚肉部で構成されていることを特徴とする。
また、本発明は、前記ゴルフクラブヘッドのヘッド質量は、２１０ｇ以下であり、前記基準状態で前記ゴルフクラブヘッドの重心点を通り前記水平面に直交する垂直な直線を回転軸とする慣性モーメントの大きさをＭＩ（ｇ・ｃｍ２）とするとき、前記慣性モーメントＭＩが６２００ｇ・ｃｍ２以下であることを特徴とする。
また、本発明は、前記ゴルフクラブヘッドのヘッド体積が５００ｃｃ以下であり、前記ヘッド最大幅Ｍが１３０ｍｍ以下であることを特徴とする。
また、本発明は、前記ヘッド本体のうち、前記第１平面と前記第３平面とで区画される第３範囲に位置する部分と、前記第４平面から前記フェースバックまでの第４範囲に位置する部分との少なくとも一方の部分に、前記第１範囲に位置する部分の比重よりも比重の大きな材料で形成された大比重部を設けたことを特徴とする。
また、本発明は、上下の高さを有して左右に延在するフェース部と、前記フェース部の上部から後方に延在するクラウン部と、前記フェース部の下部から後方に延在するソール部と、前記クラウン部と前記ソール部の間で前記フェース部のトウ側縁とヒール側縁との間をフェースバックを通って延在するサイド部とが金属材料で形成されその内部が空間とされる中空状のヘッド本体と、前記クラウン部、前記サイド部、前記ソール部の少なくとも１箇所に形成された開口部を前記ヘッド本体の外側から閉塞する繊維強化樹脂材料からなるカバー体と、を備える中空状のゴルフクラブヘッドであって、前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、前記基準状態で、前記水平面および前記フェース中心基準断面と直交しリーディングエッジに当接する平面を第１平面とし、前記第１平面と平行し前記フェースバックの外面に当接する平面を第２平面としたとき、前記第１平面と前記第２平面との距離をヘッド最大幅Ｍとし、前記第１平面と前記第２平面とを結ぶ寸法の１／２の位置で前記第１平面および前記第２平面と平行する平面を中心面とし、前記中心面から前記フェース部側に前記ヘッド最大幅Ｍの１／４離間した位置で前記中心面と平行する平面を第３平面とし、前記中心面から前記フェースバック側に前記ヘッド最大幅Ｍの１／４離間した位置で前記中心面と平行する平面を第４平面としたとき、前記第３平面と前記第４平面とで区画された第１範囲内に前記カバー体が位置し、前記ヘッド本体のうち、前記第４平面から前記フェースバックまでの第４範囲に位置する部分に、前記第４範囲を除く残りの部分の比重よりも比重の大きな材料で形成された大比重部を設け、前記ヘッド本体のうち前記第４範囲に位置する部分の比重を後部比重Ｇａとし、前記ヘッド本体のうち前記第１平面と前記第３平面とで区画された第３範囲に位置する部分の比重を前部比重Ｇｂとし、前記ヘッド本体のうち前記第１範囲に位置する部分の比重を中間部比重Ｇｃとしたとき、以下の式（１）が満たされる、ことを特徴とするゴルフクラブヘッド。
Ｇａ＞Ｇｂ＞Ｇｃ……（１）
【発明の効果】
【０００６】
本発明によれば、比重の軽いカバー体がゴルフクラブヘッドの重心点から近い箇所に配置されると共に、カバー体よりも比重の重い金属材料で形成されたヘッド本体の部分が重心点から遠い箇所に配置されることにより、ゴルフクラブヘッドの慣性モーメントＭＩを確保でき、打球の方向性の向上を図る上で有利となる。
さらに、カバー体よりも剛性が高いリブによってカバー体を支持することでカバー体を補強し、これにより、カバー体の剛性および弾性率を高めたのと同様の効果を発揮することができる。
したがって、金属材料からなるヘッド本体よりも剛性、弾性率が低いカバー体で開口部を閉塞する構造であるにも拘らず、打球時に発生する打球音を高音とすることができ、心地よい打球音を得る上で有利となる。
また、本発明によれば、比重の軽いカバー体がゴルフクラブヘッドの重心点から近い箇所に配置されると共に、カバー体よりも比重の重い材料で形成された大比重部が重心点から遠い箇所に配置されることにより、ゴルフクラブヘッドの慣性モーメントＭＩを確保でき、打球の方向性の向上を図る上で有利となる。
さらに、打球時の振動起点となるフェース部から最も離れたフェースバック寄りの箇所に大比重部を設けたので、打球時に発生する振動がヘッド本体の部分を介して重量物である大比重部に伝わる過程において、いわゆる、マスダンパー機能と同様の作用が発生し、振動が減衰され、振動のうち、より低周波数の振動成分が減衰されやすくなることから、打球音は低音の成分が減衰される一方、高音の成分はそれほど減衰されない。
したがって、金属材料からなるヘッド本体よりも剛性、弾性率が低いカバー体で開口部を閉塞する構造であるにも拘らず、打球時に発生する打球音を高音とすることができ、心地よい打球音を得る上で有利となる。
【図面の簡単な説明】
【０００７】
【図１】第１の実施の形態に係るゴルフクラブヘッドをフェース面の前方から見た正面図である。
【図２】図１のＡ矢視図である。
【図３】図２のＢ矢視図である。
【図４】図２のＸ−Ｘ線断面図である。
【図５】カバー体を取り除いたヘッド本体の平面図である。
【図６】図５のＡ矢視図である。
【図７】図５のＢ矢視図である。
【図８】図６のＣ矢視図である。
【図９】図５をＸ−Ｘ線断面で切断した簡略化した断面図であり、（Ａ）はリブを示す断面図、（Ｂ）は境界部の厚肉部を示す断面図である。
【図１０】開口部およびリブの断面図である。
【図１１】フェース面の中心点Ｐｃの規定方法を示す第１の説明図である。
【図１２】フェース面の中心点Ｐｃの規定方法を示す第２の説明図である。
【図１３】フェース面の中心点Ｐｃの規定方法を示す第３の説明図である。
【図１４】フェース面の中心点Ｐｃの規定方法を示す第４の説明図である。
【図１５】ゴルフクラブヘッドの重心点Ｇ０とフェース面上重心点ＦＧとの関係を示すゴルフクラブヘッドの断面図である。
【図１６】フェース面の輪郭線Ｉの定義を説明するゴルフクラブヘッドの正面図である。
【図１７】フェース面の輪郭線Ｉの定義を説明するゴルフクラブヘッドの断面図である。
【図１８】フェース面の中心点Ｐｃの定義を説明するゴルフクラブヘッドの正面図である。
【図１９】ゴルフクラブヘッドの慣性モーメントを測定する慣性モーメント測定器を示す模式的斜視図である。
【図２０】（Ａ）、（Ｂ）は慣性モーメントの測定方法を工程順に示す模式図である。
【図２１】（Ａ）〜（Ｃ）は慣性モーメントを測定する際におけるゴルフクラブヘッドを治具に固定する固定位置を説明するための模式図である。
【図２２】慣性モーメントを測定する際におけるゴルフクラブヘッドを治具に固定する固定位置の好ましい形態を説明するための模式図である。
【図２３】条件１における実験例の評価結果を示す図である。
【図２４】条件２における実験例の評価結果を示す図である。
【図２５】条件３における実験例の評価結果を示す図である。
【図２６】条件４における実験例の評価結果を示す図である。
【図２７】条件５における実験例の評価結果を示す図である。
【図２８】条件６における実験例の評価結果を示す図である。
【図２９】実験例２に対応するゴルフクラブヘッドの断面図である。
【図３０】実験例３に対応するゴルフクラブヘッドの断面図である。
【図３１】実験例４に対応するゴルフクラブヘッドの断面図である。
【図３２】実験例５に対応するゴルフクラブヘッドの断面図である。
【図３３】実験例６に対応するゴルフクラブヘッドの断面図である。
【図３４】実験例１７に対応するゴルフクラブヘッドの断面図である。
【図３５】実験例１８に対応するゴルフクラブヘッドの断面図である。
【図３６】実験例１９に対応するゴルフクラブヘッドの断面図である。
【図３７】実験例２０に対応するゴルフクラブヘッドの断面図である。
【図３８】（Ａ）実験例８、９に対応する簡略化したゴルフクラブヘッドの断面図、（Ｂ）実験例７、１０に対応した簡略化したゴルフクラブヘッドの断面図であり、フェース中心基準断面Ｐｆｃおよび水平面ＨＰと直交する断面を示す。
【図３９】実験例１１に対応する簡略化したヘッド本体の平面図である。
【図４０】変形例を示すゴルフクラブヘッドの平面図である。
【図４１】第２の実施の形態に係るゴルフクラブヘッドの断面図である。
【図４２】第２の実施の形態の変形例に係るゴルフクラブヘッドの断面図である。
【図４３】第２の実施の形態に係るゴルフクラブヘッドの実験例の評価結果を示す図である。
【発明を実施するための形態】
【０００８】
（第１の実施の形態）
次に本発明の実施の形態について説明する。
図１〜図８に示すように、本実施の形態において、ゴルフクラブヘッド１０は、中空のウッド型ゴルフクラブヘッド（ドライバー）であり、ヘッド本体１２と、カバー体４６（図２）とを備えている。なお、図３ではカバー体４６の図示を省略した。
【０００９】
ヘッド本体１２は、金属材料により構成される。
前記金属材料としては、例えばステンレス鋼、マルエージング鋼、純チタン、チタン合金又はアルミニウム合金等の１種又は２種以上が用いられる。
ヘッド本体１２は、フェース部１４と、クラウン部１６と、ソール部１８と、サイド部２０とを含んで構成されている。
フェース部１４は、上下の高さを有して左右に延在している。
クラウン部１６は、フェース部１４の上部から後方に延在している。
ソール部１８は、フェース部１４の下部から後方に延在している。
サイド部２０は、クラウン部１６とソール部１８の間でフェース部１４のトウ２２側縁とヒール２４側縁との間をフェースバック２８を通って延在している。
図４に示すように、ヘッド本体１２は、フェース部１４とクラウン部１６とソール部１８とサイド部２０で囲まれた内部が空間１３とされ中空状（中空構造）を呈している。
フェース部１４の外側に露出する外面がボールを打撃するフェース面１４Ａであり、フェース部１４の空間１３に面した内面がフェース内面１４Ｂとなっている。
クラウン部１６の外側に露出する外面がクラウン面１６Ａであり、クラウン部１６の空間１３に面した内面がクラウン内面１６Ｂである。
ソール部１８の外側に露出する外面がソール面１８Ａであり、ソール部１８の空間１３に面した内面がソール内面１８Ｂである。
サイド部２０の外側に露出する外面がサイド面２０Ａであり、サイド部２０の空間１３に面した内面がサイド内面２０Ｂである。
なお、以下では、クラウン面１６Ａ、ソール面１８Ａ、サイド面２０Ａを総称してヘッド本体１２の外面といい、クラウン内面１６Ｂ、ソール内面１８Ｂ、サイド内面２０Ｂを総称してヘッド本体１２の内面という。
図中、符号２６はリーディングエッジを示す。
【００１０】
図１〜図３に示すように、クラウン部１６には、フェース面１４Ａ側でかつヒール２４寄りの位置にシャフトＳに接続するホーゼル２９が設けられ、ホーゼル２９にシャフトＳが接続されることでゴルフクラブが構成される。
【００１１】
図５〜図７に示すように、ヘッド本体１２のうち、トウ２２側およびヒール２４側においてクラウン部１６とサイド部２０との境にそれぞれ帯状の境界部３０が設けられており、それら２つの境界部３０はヘッド本体１２を構成する金属材料で形成されている。
境界部３０は、ヘッド本体１２の外面よりもカバー体４６の厚さＴｃ分ヘッド本体１２の内部に変位した箇所に設けられている。
【００１２】
図４〜図８に示すように、ヘッド本体１２のうち、クラウン部１６、サイド部２０、ソール部１８の少なくとも１箇所に開口部３２が形成されている。
本実施の形態では、クラウン部１６に第１開口部３２Ａが形成され、トウ２２側のサイド部２０からトウ２２側のソール部１８にわたって第２開口部３２Ｂが形成され、ヒール２４側のサイド部２０からヒール２４側のソール部１８にわたって第３開口部３２Ｃが形成されている。
すなわち、第１開口部３２Ａと第２開口部３２Ｂとがトウ２２側の境界部３０で分離され、第１開口部３２Ａと第３開口部３２Ｃとがヒール２４側の境界部３０で分離されている。
そして、各開口部３２Ａ〜３２Ｃは後述する２つのカバー体４６によって閉塞される。
図４〜図８に示すように、各開口部３２Ａ〜３２Ｃの縁部に沿って後述するカバー体４６を取り付ける取り付け部３４が形成されている。
図５，図１０に示すように、取り付け部３４は、縦板部３６と、横板部３８と、境界部３０とを備え、ヘッド本体１２の内側に窪む凹部状に形成されている。
縦板部３６は、ヘッド本体１２の外面からヘッド本体１２の内側にカバー体４６の厚さＴｃ分突出している。
横板部３８は、縦板部３６の先端に接続され、したがって、ヘッド本体１２の外面からヘッド本体１２の内側にカバー体４６の厚さＴｃ分変位した箇所で、各開口部３２Ａ〜３２Ｃのフェース部１４側、および、フェースバック２８側の縁部に沿って延在している。
境界部３０は、トウ２２側、ヒール２４側において、フェース部１４側およびトウ２２側の横板部３８を接続している。
したがって、カバー体４６が縦板部３６の内側にはまり込んで各開口部３２Ａ〜３２Ｃを閉塞した状態で、カバー体４６が外側に露出するカバー体４６の外面とヘッド本体１２の外面との段差を生じないように図られている。
【００１３】
図４〜図８、図１０に示すように、カバー体４６が各開口部３２Ａ〜３２Ｃを介して空間１３に対向するカバー体４６の内面の部分を空間１３側から支持する金属材料からなるリブ４０が各開口部３２Ａ〜３２Ｃを横切るようにトウヒール方向に延在して形成されている。
リブ４０の長さは後述するように規定されるが、図９（Ａ）に示す例では、リブ４０は、ヘッド本体１２の内面の全周にわたって形成されている。
具体的に説明すると、図５〜図８に示すように、リブ４０は、第１開口部３２Ａを横切る第１リブ部４０Ａと、第２開口部３２Ｂを横切る第２リブ部４０Ｂと、第３開口部３２Ｃを横切る第３リブ部４０Ｃと、ソール部１８の内面に沿って延在する第４リブ部４０Ｄと、トウ２２側およびヒール２４側の境界部３０の部分に設けられた第５リブ部４０Ｅとを含んで構成されている。
また、本実施の形態では、第１リブ部４０Ａ、第２リブ部４０Ｂ、第３リブ部４０Ｃ、第４リブ部４０Ｄ、第５リブ部４０Ｅは、ヘッド本体１２を構成する金属材料と同一の金属材料で形成されている。
【００１４】
図１０に示すように、リブ４０は断面がＴ字状を呈しており、支持壁部４２と、補強壁部４４とを備えている。
支持壁部４２は、第１〜第３リブ部４０Ａ〜４０Ｃにおいては、カバー体４６が空間１３に対向するカバー体４６の内面に重ね合わされる箇所であり帯板状を呈している。また、支持壁部４２は第４リブ部４０Ｄにおいてはソール部１８のソール内面１８Ｂに接合される箇所であり帯板状を呈している。また、支持壁部４２は第５リブ部４０Ｅにおいては境界部３０の部分で形成されている。
カバー体４６の内面に重ね合わされる支持壁部４２の外面は、ヘッド本体１２の外面よりもカバー体４６の厚さＴｃ分ヘッド本体１２の内部に変位した箇所に設けられている。
したがって、第１リブ部４０Ａと境界部３０とが交差する箇所では、支持壁部４２の外面と境界部３０の外面とが同一面上に位置し、第２リブ部４０Ｂと境界部３０とが交差する箇所では、支持壁部４２の外面と境界部３０の外面とが同一面上に位置し、第３リブ部４０Ｃと境界部３０とが交差する箇所では、支持壁部４２の外面と境界部３０の外面とが同一面上に位置している。
また、境界部３０と横板部３８とが交差する箇所では、支持壁部４２の外面と横板部３８の外面とが同一面上に位置している。
補強壁部４４は、支持壁部４２の延在方向と直交する幅方向の中央で支持壁部４２が空間１３に対向する支持壁部４２の内面から支持壁部４２の全長にわたって空間１３側に突出している。
【００１５】
本実施の形態では、リブ４０の寸法は以下のようになっている。
リブ４０の高さＨは、２ｍｍ以上１０ｍｍ以下である。
ここでリブ４０の高さＨは、カバー体４６の内面およびソール部１８の内面に重ね合わされる支持壁部４２の面から補強壁部４４の先端までの寸法であり、また、境界部３０の外面から補強壁部４４の先端までの寸法である。
また、支持壁部４２および補強壁部４４の厚さＤは、０．５ｍｍ以上３ｍｍ以下である。
また、リブ４０の幅Ｗ、すなわち、支持壁部４２の幅Ｗは、２ｍｍ以上１０ｍｍ以下である。
高さＨ、厚さＤ、幅Ｗがそれぞれ下限値を下回ると、リブ４０によって後述するカバー体４６およびヘッド本体１２の強度、剛性を高める効果が低く打球音を高音とする効果が低下する。
また、高さＨ、厚さＤ、幅Ｗがそれぞれ上限値を上回ると、リブ４０の重量が重くなりすぎて、ヘッド本体１２の軽量化を図る効果が低下する。
【００１６】
カバー体４６は、第１〜第３開口部３２Ａ〜３２Ｃをヘッド本体１２の外側から閉塞するものであり、繊維強化樹脂材料で構成されている。繊維強化樹脂材料として、軽量で強度に優れる炭素繊維強化樹脂など従来公知の様々な繊維強化樹脂材料が使用可能である。
また、カバー体４６の材料は、本体１２の比重より軽いものであれば良く、金属であれば、マグネシウム合金、アルミ合金、チタン合金なども使用可能である。
なお、繊維強化樹脂材料の場合、繊維強化樹脂は繊維方向と繊維直交方向で強度が異なる異方性を有しているため、繊維方向を互いに異ならせた複数の層を積層させることでなるべく強度が等方性に近づくように構成され、カバー体４６の強度、剛性の向上が図られている。
カバー体４６は、均一の肉厚で形成されることが一般的だが偏肉でも良い。
カバー体４６は、第１〜第３開口部３２Ａ〜３２Ｃを閉塞した状態でヘッド本体１２の外面と連続する形状で形成され、したがって、ヘッド本体１２の外面とカバー体４６の外面とによって、ゴルフクラブヘッド１０の外面が構成されている。
【００１７】
本実施の形態では、カバー体４６は、第１開口部３２Ａのトウ２２側の半部と、第２開口部３２Ｂとを閉塞するトウ側カバー体４６Ａと、第１開口部３２Ａのヒール２４側の半部と、第３開口部３２Ｃとを閉塞するヒール側カバー体４６Ｂとの２つのカバー体４６で構成されている。
図２に示すように、ヘッド本体１２のクラウン部１６側において、トウ側カバー体４６Ａとヒール側カバー体４６Ｂとは、フェース部１４とフェースバック２８とを結ぶ方向に沿って延在するカバー接合部４７を介して接合されている。
なお、トウ側カバー体４６Ａとヒール側カバー体４６Ｂとが一体的に構成されていてもよいことは無論である。
カバー体４６は、その内面がヘッド本体１２の外側から取り付け部３４の横板部３８の外面および境界部３０の外面、リブ４０の支持壁部４２の外面に重ね合わされ、カバー体４６が縦板部３６の内側にはまり込んで各開口部３２Ａ〜３２Ｃを閉塞した状態で、接着やカシメなど従来公知の結合方法で取り付け部３４および各リブ４０の支持壁部４２に取り付けられ（一体的に結合され）、これによりゴルフクラブヘッド１０が組み立てられる。そして、ヘッド本体１２の外面およびカバー体４６の外面には適宜塗装がなされ、デザイン性が高められる。
【００１８】
次に、ゴルフクラブヘッド１０の各部の規定について詳細に説明する前に、フェース面１４Ａの中心点Ｐｃの規定方法について説明する。
フェース面１４Ａの中心点Ｐｃは、フェース面１４Ａの幾何学的中心であり、中心点Ｐｃの規定方法としては以下に例示する第１の規定方法、第２の規定方法を含め従来公知のさまざまな方法が採用可能である。
【００１９】
［Ａ］フェース面１４Ａの中心点Ｐｃの第１の規定方法：
フェース面１４Ａと他のゴルフクラブヘッド１０の部分との境目が明確である場合、言い換えると、フェース面１４Ａの周縁が稜線によって特定される場合における中心点Ｐｃの規定方法である。この場合はフェース面１４Ａが明瞭に定義されることになる。
図１１〜図１４はフェース面１４Ａの中心点Ｐｃの規定方法を示す説明図である。
【００２０】
（１）まず、図１１に示すように、ライ角およびフェース角が規定値となるように水平面ＨＰ上にゴルフクラブヘッド１０を載置する。このときのゴルフクラブヘッド１０の状態を基準状態とする。なお、ライ角およびフェース角の設定値は、例えば製品カタログに記載された値である。
【００２１】
（２）次にクラウン部１６及びソール部１８を結ぶ方向における仮中心点ｃ０を求める。
すなわち、図１１に示すように、トウ２２およびヒール２４を結ぶ水平面ＨＰと平行な線（以下水平線という）の概略中心点と交差する垂線ｆ０を引く。
この垂線ｆ０とフェース面１４Ａの上縁とが交差するａ０点と、垂線ｆ０とフェース面１４Ａの下縁とが交差するｂ０点の中点を仮中心点ｃ０とする。
【００２２】
（３）次に図１２に示すように仮中心点ｃ０を通る水平線ｇ０を引く。
（４）次に図１３に示すように水平線ｇ０とフェース面１４Ａのトウ２２側の縁とが交差するｄ０点と、水平線ｇ０とフェース面１４Ａのヒール２４側の縁とが交差するｅ０点の中点を仮中心点ｃ１とする。
【００２３】
（５）次に図１４に示すように仮中心点ｃ１を通る垂線ｆ１を引き、この垂線ｆ１とフェース面１４Ａの上縁とが交差するａ１点と、垂線ｆ１とフェース面１４Ａの下縁とが交差するｂ１点の中点を仮中心点ｃ２とする。
ここで、仮中心点ｃ１とｃ２とが合致したならばその点をフェース面１４Ａの中心点Ｐｃとして規定する。
仮中心点ｃ１とｃ２が合致しなければ、（２）乃至（５）の手順を繰り返す。
なお、フェース面１４Ａは曲面を呈しているため、水平線ｇ０の中点、垂線ｆ０、ｆ１の中点を求める場合の水平線ｇ０の長さ、垂線ｆ０、ｆ１の長さはフェース面１４Ａの曲面に沿った長さを用いるものとする。
そして、フェースセンターラインＣＬは、中心点Ｐｃを通りかつトウ２２−ヒール２４方向と直交する方向に延在する直線で定義される。
【００２４】
［Ｂ］フェース面１４Ａの中心点Ｐｃの第２の規定方法：
次に、フェース面１４Ａの周縁と他のゴルフクラブヘッド１０の部分との間が曲面で接続されておりフェース面１４Ａが明瞭に定義できない場合の中心点Ｐｃの定義を説明する。
【００２５】
図１５に示すように、ゴルフクラブヘッド１０は中空であり、符号Ｇ０はゴルフクラブヘッド１０の重心点を示し、符号Ｌｐは重心点Ｇ０とフェース面上重心点ＦＧとを結ぶ直線であり、言い換えると、直線Ｌｐは重心点Ｇ０を通るフェース面１４Ａの垂線（法線）である。
すなわち、ゴルフクラブヘッド１０の重心点Ｇ０をフェース面１４Ａに投影した点がフェース面上重心点ＦＧである。
ここで、図１６に示すように、重心点Ｇ０とフェース面上重心点ＦＧとを結ぶ直線Ｌｐを含む多数の平面Ｈ１、Ｈ２、Ｈ３、…、Ｈｎを考える。
【００２６】
ゴルフクラブヘッド１０を各平面Ｈ１、Ｈ２、Ｈ３、…、Ｈｎに沿って破断したときの断面において、図１７に示されるように、ゴルフクラブヘッド１０の外面の曲率半径ｒ０を測定する。
曲率半径ｒ０の測定に際して、フェース面１４Ａ上のフェースライン、パンチマーク等が無いものとして扱う。
曲率半径ｒ０は、フェース面１４Ａの中心点Ｐｃから外方向（図１７における上方向、下方向）に向かって連続的に測定される。
そして、測定において曲率半径ｒ０が最初に所定の値以下となる部分をフェース面１４Ａの周縁を表わす輪郭線Ｉとして定義する。
所定の値は例えば２００ｍｍである。
多数の平面Ｈ１、Ｈ２、Ｈ３、…、Ｈｎに基づいて決定された輪郭線Ｉによって囲まれた範囲が、図１６、図１７に示すように、フェース面１４Ａとして定義される。
【００２７】
次に、図１８に示すように、ライ角およびフェース角が規定値となるように水平な地面上（水平面ＨＰ）にゴルフクラブヘッド１０を載置する。
直線ＬＴは、フェース面１４Ａのトウ２２側点ＰＴを通過して鉛直方向に延在する。
直線ＬＨは、フェース面１４Ａのヒール２４側点ＰＨを通過して鉛直方向に延在する。
直線ＬＣは、直線ＬＴおよび直線ＬＨと平行である。直線ＬＣと直線ＬＴとの距離は、直線ＬＣと直線ＬＨとの距離と等しい。
符号Ｐｕは、フェース面１４Ａの上側点を示し、符号Ｐｄはフェース面１４Ａの下側点である。上側点Ｐｕおよび下側点Ｐｄは、いずれも直線ＬＣと輪郭線Ｉとの交点である。
中心点Ｐｃは、上側点Ｐｕと下側点Ｐｄとを結ぶ線分の中点で定義される。
【００２８】
（フェース中心基準断面Ｐｆｃ）
次に、ゴルフクラブヘッド１０の各部の規定について詳細に説明する。
まず、ゴルフクラブヘッド１０のフェース中心基準断面Ｐｆｃについて規定する。
図１〜図３に示すように、ゴルフクラブヘッド１０を水平面ＨＰに対して予め定められたライ角およびロフト角通りに設置した基準状態とする。
図１に示すように、フェース面１４Ａの中心点Ｐｃを通る法線を含みかつ水平面ＨＰと直交する平面Ｘでヘッド本体１２を破断した断面をフェース中心基準断面Ｐｆｃとする。言い換えると、フェース中心基準断面Ｐｆｃは、基準状態において、フェースセンターラインＣＬを含みかつ水平面ＨＰと直交する平面Ｘでヘッド本体１２を破断した断面である。
【００２９】
（第１〜第６平面Ｐ１〜Ｐ６、中心面Ｐ０、第１範囲Ａ１、第２範囲Ａ２、ヘッド最大幅Ｍ）
図４に示すように、ゴルフクラブヘッド１０の基準状態で、水平面ＨＰおよびフェース中心基準断面Ｐｆｃと直交しリーディングエッジ２６に当接する平面を第１平面Ｐ１とする。
なお、図４では、ソール部１８側に位置するカバー体４６を図示するため、フェース中心基準断面Ｐｆｃに対してトウヒール方向に変位した箇所の断面を示している。
第１平面Ｐ１と平行しフェースバック２８の外面に当接する平面を第２平面Ｐ２とする。
ヘッド本体１２を平面視したときに、第１平面Ｐ１と第２平面Ｐ２との距離をヘッド最大幅Ｍとする。
第１平面Ｐ１と第２平面Ｐ２とを結ぶ寸法の１／２の位置で第１平面Ｐ１および第２平面Ｐ２と平行する平面を中心面Ｐ０とする。
中心面Ｐ０からフェース部１４側にヘッド最大幅Ｍの１／４離間した位置で中心面Ｐ０と平行する平面を第３平面Ｐ３とする。
中心面Ｐ０からフェースバック２８側にヘッド最大幅Ｍの１／４離間した位置で中心面Ｐ０と平行する平面を第４平面Ｐ４とする。
第３平面Ｐ３と第４平面Ｐ４とで区画された範囲を第１範囲Ａ１とする。
中心面Ｐ０と平行しカバー体４６の最もフェース部１４寄りの縁部を通る平面を第５平面Ｐ５とする。
中心面Ｐ０と平行しカバー体４６の最もフェースバック２８寄りの縁部を通る平面を第６平面Ｐ６とする。
第５平面Ｐ５と第６平面Ｐ６とで区画された範囲を第２範囲Ａ２とする。
【００３０】
本実施の形態では、カバー体４６は、第１範囲Ａ１内に位置する。
カバー体４６が第１範囲Ａ１内に位置していると、後述するゴルフクラブヘッド１０の慣性モーメントＭＩを確保する上で有利となる。
これは、重心点Ｇ０から近い箇所に比重が軽いカバー体４６が位置し、重心点Ｇ０から遠い箇所に比重が重いヘッド本体１２の部分が位置するためである。
一方、カバー体４６が第１範囲Ａ１外に位置していると、慣性モーメントＭＩを確保する上で不利となる。
これは、重心点Ｇ０から遠い箇所に比重が軽いカバー体４６が位置し、重心点Ｇ０から近い箇所に比重が重いヘッド本体１２の部分が位置するためである。
なお、ゴルフクラブヘッド１０の慣性モーメントＭＩの測定方法については後述する。
【００３１】
また、本実施の形態では、第２範囲Ａ２のほぼ中央位置においてリブ４０が開口部３２を横切るようにトウヒール方向に延在して形成されている。
このようにすることで、リブ４０によってカバー体４６が補強され、カバー体４６の強度、剛性が高められることから打球音が高音となりやすく、心地よい打球音を得る上で有利となる。
また、第２範囲Ａ２のほぼ中央位置とは、以下のように規定される。
すなわち、第２範囲Ａ２の寸法をαとし、第２範囲Ａ２の中央位置βからフェース部１４方向にα／４離間した位置を通り中央面Ｐ０と平行な平面を第７平面Ｐ７とし、第２範囲Ａ２の中央位置からフェースバック２８方向にα／４離間した位置を通り中央面Ｐ０と平行な平面を第８平面Ｐ８とすると、第７平面Ｐ７と第８平面Ｐ８とで区画される第５範囲Ａ５を第２範囲Ａ２のほぼ中央位置と規定する。
なお、本実施の形態では、クラウン部１６側における第２範囲Ａ２と、ソール部１８側における第２範囲Ａ２の位置が一致した場合について説明したが、クラウン部１６側とソール部１８側とでそれら２つの第２範囲Ａ２の位置が一致しない場合は、少なくとも一方の第２範囲Ａ２のほぼ中央位置（第５範囲Ａ５）にリブ４０が形成されていればよい。
【００３２】
また、リブ４０がカバー体４６を支持している部分のトウヒール方向の寸法（トウヒール方向に沿った寸法）は、カバー体４６のトウヒール方向の寸法（トウヒール方向に沿った寸法）の全長とほぼ同じであることがカバー体４６の強度、剛性を確保する上で好ましく、打球音を高音にする上で有利となる。
すなわち、図３８を流用して説明すると、図３８（Ａ）に示すように、リブ４０がカバー体４６を支持している部分のトウヒール方向の寸法（Ｌｔｈ１＋Ｌｔｈ２＋Ｌｔｈ３）は、カバー体４６のトウヒール方向の寸法の全長（Ｌｃ１）の７０％以上あることが好ましい。
すなわち、ソール部１８に設けられたリブ４０が、カバー体４６を支持している部分とカバー体を支持していない部分に分かれる場合は、カバー体４６を支持していない部分のリブ４０は、カバー体４６を支持している部分のリブ４０とは別に扱われ、トウヒール方向の寸法の全長に対するリブ４０の割合の計算に含まれない。
図３８（Ｂ）に示すように、リブ４０がカバー体４６を支持している部分のトウヒール方向の寸法（Ｌｔｈ１＋Ｌｔｈ２＋Ｌｔｈ３）が、カバー体４６のトウヒール方向の寸法の全長（Ｌｃ１）の７０％未満であると、カバー体４６の強度、剛性を確保する効果が低下し、打球音を高音にする効果が低下する。
【００３３】
さらに、リブ４０は、カバー体４６の内面からヘッド本体１２が空間１３に対向するヘッド本体１２の内面に連続して延在形成され（図９（Ａ）参照）、リブ４０は、カバー体４６の内面およびヘッド本体１２の内面からなるゴルフクラブヘッド１０の内面の全周（言い換えるとリブ４０の延在方向に沿ったゴルフクラブヘッド１０の内面の全周）の８０％以上にわたって延在形成されていると、打球音を高音にする上でより有利となる。
これは、リブ４０によってカバー体４６とヘッド本体１２の双方の強度、剛性が高められるからである。
したがって、リブ４０の長さがゴルフクラブヘッド１０の内面の全周の８０％を下回ると、カバー体４６とヘッド本体１２の双方の強度、剛性を確保する効果が低下し、打球音を高音にする効果が低下する。
なお、実際のゴルフクラブヘッド１０の形状では、クラウン部１６とサイド部２０との間の境界部３０の部分において、ヘッド本体１２の内面の曲面の曲率が局所的に大きくなることから、製造上リブ４０を形成することは難しい場合がある。そのため、リブ４０をゴルフクラブヘッド１０の内面の全周の１００％にわたって形成できない場合もある。
【００３４】
また、ヘッド本体１２のうち、クラウン部１６とサイド部２０との境の全長にわたって帯状に延在する境界部３０が形成され、境界部３０は、ヘッド本体１２を構成する金属材料で形成されている。
したがって、境界部３０は、その延在方向の中間で分断されることがないように形成されている。
このようにクラウン部１６とサイド部２０との境の全長にわたって境界部３０が形成されることにより、ヘッド本体１２の強度、剛性が確保されるため、ヘッド本体１２の強度、剛性が高められ、打球音を高音にする上でより有利となる。
なお、境界部３０の幅は、１ｍｍ以上であることがヘッド本体１２の強度、剛性が高める上で有利であり、境界部３０の幅が１ｍｍ未満であると、ヘッド本体１２の強度、剛性を高める効果が低下する。
【００３５】
また、図９（Ｂ）に示すように、境界部３０のうち、第１範囲Ａ１内の部分は、境界部３０に隣接するクラウン部１６およびサイド部２０の肉厚よりも大きな寸法の肉厚で形成された厚肉部３１で構成されていると、ゴルフクラブヘッド１０の慣性モーメントＭＩを確保し、また、ヘッド本体１２の強度、剛性を確保する上でより有利となる。
これは、重心点Ｇ０からなるべく離れた箇所に重量を有する部分を配置することで慣性モーメントＭＩを確保する上で有利となるためである。
なお、厚肉部３１の厚さは、１ｍｍ以上あればよく、２ｍｍ以上５ｍｍ以下であればより好ましい。
厚肉部３１の厚さが２ｍｍ以上５ｍｍ以下であれば、ゴルフクラブヘッド１０の重量増を抑制しつつゴルフクラブヘッド１０の慣性モーメントＭＩを確保し、また、ヘッド本体１２の強度、剛性を確保する上でより有利となる。
厚肉部３１の厚さが上記範囲を下回ると、上記効果が低下し、厚肉部３１の厚さが上記範囲を上回ると、ゴルフクラブヘッド１０の重量が過剰となる。
また、厚肉部３１の長さは、１０ｍｍ以上あればよく、２０ｍｍ以上５０ｍｍ以下であればより好ましい。
厚肉部３１の長さが２０ｍｍ以上５０ｍｍ以下であれば、ゴルフクラブヘッド１０の重量増を抑制しつつゴルフクラブヘッド１０の慣性モーメントＭＩを確保し、また、ヘッド本体１２の強度、剛性を確保する上でより有利となる。
厚肉部３１の長さが上記範囲を下回ると、上記効果が低下し、厚肉部３１の長さが上記範囲を上回ると、ゴルフクラブヘッド１０の重量が過剰となる。
【００３６】
また、ゴルフクラブヘッド１０のヘッド質量は、２１０ｇ以下であり、基準状態でゴルフクラブヘッド１０の重心点Ｇ０を通り水平面ＨＰに直交する垂直な直線を回転軸とする慣性モーメントの大きさをＭＩ（ｇ・ｃｍ２）とするとき、慣性モーメントＭＩが６２００ｇ・ｃｍ２以下である。
なお、ヘッド質量は、１８０ｇ以上２０５g以下の範囲が好ましい。
ヘッド質量が上記範囲内であると、慣性モーメントＭＩを確保して打球の方向性の向上を図る上で有利となる。
ヘッド質量が上記範囲を下回ると、ヘッド重量が小さいため、慣性モーメントＭＩが小さくなり、打球の方向性を向上する効果が低下する。
ヘッド重量が上記範囲を上回ると、ヘッド重量が大きいため、スイング速度が低下し飛距離を確保する効果が低下する。
また、ゴルフクラブヘッド１０の慣性モーメントＭＩは、５０００ｇ・ｃｍ２以上６０００ｇ・ｃｍ２以下であることが好ましい。
慣性モーメントＭＩが上記範囲内であると、打球の方向性の向上を図る上で有利となる。
慣性モーメントＭＩが上記範囲を下回ると、打球の方向性の向上を図る効果が低下する。
なお、英国のＲ＆Ａゴルフ規則で定められた慣性モーメントＭＩの上限値は５９００ｇ・ｃｍ２＋１００ｇ・ｃｍ２である。
【００３７】
また、ゴルフクラブヘッド１０のヘッド体積が５００ｃｃ以下であり、ヘッド最大幅Ｍが１３０ｍｍ以下である。
また、ヘッド体積は４４０ｃｃ以上４７０ｃｃ以下の範囲であり、ヘッド最大幅Ｍは１２０ｍｍ以上１２７ｍｍ以下の範囲であることが好ましい。
ヘッド本体１２の体積が上記範囲内であると、慣性モーメントＭＩを確保する上で有利となる。
ヘッド本体１２の体積が上記範囲を下回ると、慣性モーメントＭＩを確保する効果が低下する。
なお、上記英国のＲ＆Ａゴルフ規則で定められたヘッド本体１２の体積の上限値は４７０ｃｃである。
また、ヘッド幅最大値Ｍが上記範囲内であると、慣性モーメントＭＩを確保する上で有利となる。
ヘッド幅最大値Ｍが上記範囲を下回ると、慣性モーメントＭＩを確保する効果が低下する。
なお、上記英国のＲ＆Ａゴルフ規則で定められたヘッド最大幅Ｍの上限値は１２７ｍｍである。
【００３８】
図４に示すように、ヘッド本体１２のうち、第１平面Ｐ１と第３平面Ｐ３とで区画される第３範囲Ａ３に位置する部分と、第４平面Ｐ４からフェースバック２８までの第４範囲Ａ４に位置する部分との少なくとも一方の部分に、第３平面Ｐ３と第４平面Ｐ４とで区画される第１範囲Ａ１に位置する部分の比重よりも比重の大きな（金属）材料で形成された大比重部４８を設けると、重心点Ｇ０からより離間した箇所の重量を増加させることができるため、慣性モーメントＭＩを確保する上で有利となる。
この場合、ヘッド本体１２のうち大比重部４８を除く部分と、大比重部４８とをそれぞれ比重の異なる金属材料で構成すればよく、このような金属材料として従来公知の様々な金属材料が使用可能である。
例えば、ヘッド本体１２のうち大比重部４８を除く部分をチタン合金（比重４．４）で構成し、フェースバック２８に大比重部４８としてステンレス（比重７．８）あるいはタングステン合金（比重９〜１８）を設けても良い。
あるいは、ヘッド本体１２のうち大比重部４８を除く部分をチタン合金（比重４．４）で構成し、フェース部１４をβチタン（比重４．８）で構成してもよい。
なお、大比重部４８は、例えば、フェース部１４を構成する部分４８Ａであり、あるいは、フェースバック２８を構成する部分４８Ｂである。
【００３９】
ここで、図１９〜図２２を参照して、ゴルフクラブヘッド１０の慣性モーメントＭＩの測定方法について詳細に説明する。
ここで、図１９は、ゴルフクラブヘッド１０の慣性モーメント測定器を示す模式的斜視図である。慣性モーメントＭＩは、図１９に示す慣性モーメント測定器６０により測定される。
【００４０】
慣性モーメント測定器６０は、測定部６２、演算部６４、スタートレバー６６、表示部６８、操作ボタン６９を備え、測定部６２の上に慣性モーメントＭＩの測定対象物が載置され、スタートレバー６６を手で摘んで変位させた後、手を放して捩れ振動させ、この時の捩れ振動の周期を測ることによって演算部６４を通して慣性モーメントＭＩを測定し、表示部６８に慣性モーメントＭＩの数値を表示する装置である。
なお、慣性モーメント測定器６０として、Ｉｎｅｒｔｉａ  Ｄｙｎａｍｉｃｓ社製、慣性モーメント測定器  Ｍｏｄｅｌ  ＭＯＩ−００５−０１４が例示される。このような慣性モーメント測定器は公知のものであればよく、本発明において、特に制限されない。
【００４１】
図２０（Ａ）に示すように、慣性モーメント測定器６０に治具７０を固定して、治具７０の慣性モーメントＩａを測定する。
次いで、図２０（Ｂ）に示すように、治具７０の上面部７２にゴルフクラブヘッド１０のソール部１８を固定して、ゴルフクラブヘッド１０および治具７０の合計の慣性モーメントＩｂを測定する。次に、得られた各慣性モーメントＩａ、Ｉｂから、（Ｉｂ−Ｉａ）よりゴルフクラブヘッド１０の慣性モーメントＭＩを得る。
なお、通常の慣性モーメント測定器６０では、上記Ｉａの数値は、操作ボタン６９を駆使し一連の手順によって自動的に風袋引きをされ、（Ｉｂ−Ｉａ）の数値が表示される。
【００４２】
なお、ゴルフクラブヘッド１０と治具７０とを固定するためには、例えば、両面テープ、粘土等の粘着体による固定、接着剤による固定、または磁力を用いた固定などが挙げられる。
固定は、ゴルフクラブヘッド１０のソール部１８が治具７０の上面部７２に固定される。しかしながら、ソール部１８が凸の曲面を有していれば、上面部７２は凸の曲面に合致するような凹の曲面であることが好ましく、ソール部１８が平面であれば、上面部７２は平面であることが好ましい。つまり、固定する両面が合致することが好ましい。
ゴルフクラブヘッド１０のソール部１８が曲面である場合には、粘着体（図示せず）をソール部１８及び上面部７２に合致するように設け、ゴルフクラブヘッド１０を固定する。この場合、粘着体のように接着剤などの固定手段の内質量を有するものは、治具の一部に含まれ、風袋引きにおいては治具と同様に風袋として引かれることは言うまでもない。
【００４３】
ゴルフクラブヘッド１０は、図２１（Ａ）に示すゴルフクラブヘッド１０の重心点Ｇ０を通り、水平面ＨＰに直交する第１の直線Ｖと、図２１（Ｂ）に示す慣性モーメント測定器６０の捩れ振動の回転軸Ｒとが、図２１（Ｃ）に示すように一致もしくは概ね一致するように慣性モーメント測定器６０に固定されることが好ましい。
概ね一致とは、回転軸Ｒが水平面ＨＰを通る点と第１の直線Ｖが水平面ＨＰを通る点ｐとのなす距離が３ｍｍ以内、好ましくは２ｍｍ以内、より好ましくは１ｍｍ以内とすることである。
この範囲内にゴルフクラブヘッド１０のソール部１８を固定することによって、より正確にゴルフクラブヘッド１０の慣性モーメントＭＩを測定することが可能になる。
【００４４】
また、回転軸Ｒが水平面ＨＰを通る点と第１の直線Ｖが水平面ＨＰを通る点ｐとのなす距離を上記範囲内とする必要は必ずしもなく、この距離を知り、自動的に風袋引きをして得られた（Ｉｂ−Ｉａ）の数値からゴルフクラブヘッド１０の質量にこの距離の自乗を掛けた積を減算することによって補正することができる。
この補正方法によってゴルフクラブヘッド１０の慣性モーメントＭＩを得てもよい。このように、ゴルフクラブヘッド１０の慣性モーメントＭＩの測定方法については、特に限定されない。
【００４５】
慣性モーメント測定器６０の回転軸Ｒ及びこの回転軸Ｒがソール部１８を通る点は、慣性モーメント測定器６０により定められるものである。回転軸Ｒは鉛直または概ね鉛直になることが好ましい。
ここで、概ね鉛直とは、鉛直方向に対する傾きが２°以内、好ましくは１°以内のことである。回転軸Ｒを鉛直または概ね鉛直に設定するためには、慣性モーメント測定器６０に設けられた水準器部分を目安に測定器の水平を調整すること、又は測定器を水平に調整された平面板上に設置すること等が考えられる。
上記範囲内に設定することによって、ゴルフクラブヘッド１０の重心Ｇを通り水平面ＨＰに直交する第１の直線Ｖを第１の回転軸とする回転軸回りの慣性モーメントＭＩをより正確に測定することができる。
【００４６】
また、治具７０の上面部７２によって支持された平面は水平または概ね水平になることが好ましい。本発明における概ね水平とは、水平面ＨＰに対する傾きが２°以内、好ましくは１°以内のことである。
上記範囲内に設定することによって、ゴルフクラブヘッド１０の慣性モーメントＭＩをより正確に測定することができる。
【００４７】
また、治具７０は、治具自体の重心位置が回転軸Ｒに一致もしくは概ね一致するように慣性モーメント測定器６０に装着されることが好ましい。概ね一致とは、図２２に示すように治具７０の重心位置をＣとすると、重心位置Ｃと回転軸Ｒとの距離δを２ｍｍ以内、好ましくは１ｍｍ以内とすることである。
治具７０の重心位置Ｃを上記範囲内に設定することによって、ゴルフクラブヘッド１０の慣性モーメントＭＩをより正確に測定することができる。
【００４８】
以上説明したように本実施の形態によれば、図４に示すように、金属材料で形成された中空状のヘッド本体１２に形成された開口部３２をヘッド本体１２の外側から繊維強化樹脂材料からなるカバー体４６で閉塞し、第５平面Ｐ５と第６平面Ｐ６とで区画された第２範囲Ａ２のほぼ中央位置においてカバー体４６が開口部３２を介して空間１３に対向するカバー体４６の内面の部分を空間１３側から支持する金属材料からなるリブ４０を開口部３２を横切るようにトウヒール方向に延在して形成した。
したがって、カバー体４６がゴルフクラブヘッド１０の重心点Ｇ０から近い箇所に配置されると共に、カバー体４６よりも比重の重い金属材料で形成されたヘッド本体１２の部分が重心点Ｇ０から遠い箇所に配置されることにより、ゴルフクラブヘッド１０の慣性モーメントＭＩを確保でき、打球の方向性の向上を図る上で有利となる。
さらに、カバー体４６よりも剛性が高いリブ４０によってカバー体４６を支持することでカバー体４６を補強し、これにより、カバー体４６の剛性および弾性率を高めたのと同様の効果を発揮することができる。
したがって、金属材料からなるヘッド本体１２よりも剛性、弾性率が低いカバー体４６で開口部３２を閉塞する構造であるにも拘らず、打球時に発生する打球音を高音とすることができ、心地よい打球音を得る上で有利となる。
【００４９】
以下、本発明の実験例について説明する。
図２３〜図２８は、本発明に係るゴルフクラブヘッド１０の実験結果を示す図である。
試料となるゴルフクラブヘッド１０を各実験例毎に作成し、以下の４つの評価項目を測定し指数（評価点）を求めると共に、４つの指数の合計点を求めた。
なお、以下の実験例では、ゴルフクラブヘッド１０としてドライバーを実験対象とした。
【００５０】
（１）打球音
２０人の被験者について実際にゴルフボールを各実験例のゴルフクラブヘッド１０を用いて打撃した場合の打球音を指数で評価した。
比較例に相当する実験例の指数を１００とし指数が大きいほど打球音が高音で心地良く、評価が良いことを示す。
打球音の評価は、１本のゴルフクラブヘッド１０について２０人のゴルファーがゴルフボールを実際に１０打ずつ打撃してその平均値を求めた。
【００５１】
（２）飛距離ばらつき
２０人の被験者について実際にゴルフボールを各実験例のゴルフクラブヘッド１０を用いて打撃した場合の飛距離のばらつきを指数で評価した。
ここで、飛距離のばらつきは以下のようにして求める。
飛距離の最大値と最小値の差分を飛距離のばらつきとして求める。
２０人の被験者について各実験例のゴルフクラブを用いて飛距離ばらつきの評価データをそれぞれ求め、各ゴルフクラブのそれぞれについて２０人の飛距離ばらつきの評価データの平均値を求めた。
そして、比較例に相当する実験例の評価データの平均値を１００とし、比較例以外の実験例を指数（比較例に相当する実験例の評価データの平均値／比較例以外の実験例の評価データの平均値）×１００）によって評価した。即ち、指数が高いほど飛距離ばらつきが少なく優れている。
【００５２】
（３）左右のばらつき
２０人の被験者について実際にゴルフボールを各実験例のゴルフクラブヘッド１０を用いて打撃した場合の左右のばらつきを指数で評価した。
ここで、左右のばらつきは以下のようにして求める。
すなわち、打球フィールドに目標点を設定してゴルファーが目標点に向かって打球する。そして打球する地点と目標点を結んだ直線と、打球されたボールが停止した点までの距離を方向ブレ幅（ヤード）として記録する。
目標飛球線Ｌｇに対して右方向のずれ量を正（＋）の値で、左方向へのずれ量を負（−）の値で表示しており、何れの値も１０球の測定値を算術平均した値を左右のばらつきの評価データとして求めた。
ここでは、２０人の被験者について各実験例のゴルフクラブを用いて左右のばらつきの評価データをそれぞれ求め、各ゴルフクラブのそれぞれについて２０人の左右のばらつきの評価データの平均値を求めた。そして、比較例に相当する実験例の評価データの平均値を１００とし、比較例以外の実験例を指数（（比較例に相当する実験例の評価データの平均値／比較例以外の実験例の評価データの平均値）×１００）によって評価した。即ち、指数が高いほど左右のばらつきが少なく優れている。
【００５３】
（４）耐久性
シャフトに固定したゴルフクラブヘッド１０のフェース面１４Ａにエアキャノンにてゴルフボールを繰り返して当て、フェース部１４の変形や破損が生じるまでに要した打撃回数を計測し、打撃回数を指数化した。ボールスピードは５０ｍ／ｓとした。打点位置はフェース面１４Ａの中心点Ｐｃとした。
この場合、比較例に相当する実験例のゴルフクラブヘッド１０の測定結果を１００とした指数で示した。指数が大きいほど評価が良いことを示す。
【００５４】
（５）合計点
上述した打球音、飛距離ばらつき、左右のばらつき、耐久性の４つの指数を合計したものを合計点とした。
比較例に相当する実験例の合計点を４００とし合計点が大きいほど評価が良いことを示す。
【００５５】
以下実験例のゴルフクラブヘッド１０について説明する。
なお、実験例で使用したゴルフクラブヘッド１０は、ドライバーであり、各実験例で規定したパラメータを除き以下の条件を共通としている。
ヘッド本体１２の材料：チタン合金  Ti-8Al-1Mo-1V
フェース１４の材料：Ti-6Al-4V
カバー体４６の材料：ＣＦＲＰ（炭素繊維強化樹脂）
カバー体４６の厚さＴｃ：０．６ｍｍ
ただし、実験例２〜２０においては、フェースバック２８に大比重部４８としてステンレス合金（比重７．８）質量３０ｇを設けたものとした。
ロフト角  １０．５°
ライ角  ５９°
ヘッド体積  ４６０cc
【００５６】
（条件１）
各実験例について、図２３に示すように、請求項１で規定する条件を変更した。
なお、請求項２〜８で規定する条件は以下のように一定条件とした。
すなわち、請求項２で規定するリブ４０がカバー体４６を支持している部分のトウヒール方向の寸法は、カバー体４６のトウヒール方向の寸法の全長とほぼ同じであるという規定を満たしておらず、具体的には、リブ４０がカバー体４６を支持している部分のトウヒール方向の寸法は、カバー体４６のトウヒール方向の寸法の全長の６０％であり、好ましい７０％を下回っている。
すなわち、図３８（Ｂ）に示すように、リブ４０がカバー体４６を支持している部分のトウヒール方向の寸法（Ｌｔｈ１＋Ｌｔｈ２＋Ｌｔｈ３）は、カバー体４６のトウヒール方向の寸法の全長（Ｌｃ１）の７０％を下回っている。
また、請求項３で規定するリブ４０は、カバー体４６の内面およびヘッド本体１２の内面からなるゴルフクラブヘッド１０の内面の全周の８０％以上にわたって延在形成されているという規定を満たしておらず、具体的には、リブ４０はゴルフクラブヘッド１０の内面の全周の７０％にわたって延在形成されている。
なお、リブ４０の寸法は、以下の通りであり、実験例１を除く全実験例で同一とする。
リブ４０の高さＨ：５ｍｍ
リブ４０の厚さＤ：１ｍｍ
リブ４０の幅  Ｗ：５ｍｍ
また請求項４で規定する境界部３０については幅５ｍｍで形成されているものとした。
請求項５で規定する厚肉部３１（図９（Ｂ））はその厚さが３ｍｍで長さ５０ｍｍで形成されているものとした。
請求項６で規定するヘッド質量は２００ｇとし、慣性モーメントＭＩは５５００ｇ・ｃｍ２とし、いずれも規定内とした。
請求項７で規定するヘッド体積は４６０ｃｃとし、ヘッド最大幅Ｍは１２５ｍｍとし、いずれも規定内とした。
請求項８で規定する大比重部４８は、フェースバック２８側にステンレス合金を配置した。
【００５７】
実験例１は、比較例に相当するものであり、図示を省略するが、ヘッド本体１２の全体が金属材料（チタン合金）で構成され、開口部３２やカバー体４６を有さず、リブ４０も形成されていない一般的なゴルフクラブヘッド（ドライバー）である。
【００５８】
実験例２は、図２９に示すように、請求項１で規定するカバー体４６が第１範囲Ａ１からフェース部１４側に外れた箇所に位置しており、本発明の範囲外である。
なお、請求項１で規定するリブ４０は、第２範囲Ａ２のほぼ中央位置に位置している（第５範囲Ａ５内に位置している）。
なお、図２９に示すように、ヘッド本体１２のフェース部１４側は開口を形成しており、フェース部１４は溶接等で接合される。したがって、開口部３２およびカバー体４６は、フェース部１４を除く範囲に設けられることになる。
なお、実験例を示す図２９−図３７においては、図面の簡略化を図るため、ヘッド本体１２の取り付け部３４の形状（縦板部３６，横板部３８）は図示を省略している。
【００５９】
実験例３は、図３０に示すように、請求項１で規定するカバー体４６が第１範囲Ａ１からフェースバック２８側に外れた箇所に位置しており、本発明の範囲外である。
なお、請求項１で規定するリブ４０は、第２範囲Ａ２のほぼ中央位置に位置している（第５範囲Ａ５内に位置している）。
【００６０】
実験例４は、図３１に示すように、請求項１で規定するカバー体４６が第１範囲Ａ１内に位置しているが、請求項１で規定するリブ４０は、第２範囲Ａ２のほぼ中央位置からフェース部１４側に外れた箇所（第５範囲Ａ５から外れた箇所）に位置しており、本発明の範囲外である。
【００６１】
実験例５は、図３２に示すように、請求項１で規定するカバー体４６が第１範囲Ａ１内に位置しているが、請求項１で規定するリブ４０は、第２範囲Ａ２のほぼ中央位置からフェースバック２８側に外れた箇所（第５範囲Ａ５から外れた箇所）に位置しており、本発明の範囲外である。
【００６２】
実験例６は、図３３に示すように、請求項１で規定するカバー体４６が第１範囲Ａ１内に位置しており、請求項１で規定するリブ４０は、第２範囲Ａ２のほぼ中央位置に位置しており（第５範囲Ａ５内に位置しており）、本発明の範囲内である。
【００６３】
したがって、図２３に示すように、耐久性については実験例３が実験例６を若干上回っているものの、請求項１の規定を満たす実験例６は、打球音、飛距離ばらつき、左右のばらつき、耐久性、合計点が本発明の範囲外である実験例１−５を上回っている。
【００６４】
（条件２）
図２４に示すように、請求項１で規定する条件をその規定範囲内で一定条件とすると共に、請求項２で規定する条件を変更し、請求項３−８で規定する条件は一定条件とした。
すなわち、図４に示すように、請求項１で規定するカバー体４６が第１範囲Ａ１内に位置しており、請求項１で規定するリブ４０は、第２範囲Ａ２のほぼ中央位置に位置しており（第５範囲Ａ５内に位置しており）、本発明の範囲内である。
また、請求項３で規定するリブ４０は、カバー体４６の内面およびヘッド本体１２の内面からなるゴルフクラブヘッド１０の内面の全周の１００％にわたって延在形成されている。
また請求項４で規定する境界部３０については幅５ｍｍで形成されているものとした。
請求項５で規定する厚肉部３１（図９（Ｂ））はその厚さが３ｍｍで長さ５０ｍｍで形成されているものとした。
請求項６で規定するヘッド質量は２００ｇとし、慣性モーメントＭＩは５５００ｇ・ｃｍ２とし、いずれも規定内とした。
請求項７で規定するヘッド体積は４６０ｃｃとし、ヘッド最大幅Ｍは１２５ｍｍとし、いずれも規定内とした。
請求項８で規定する大比重部４８は、フェースバック２８側にステンレス合金を配置した。
図２４に示すように、実験例７は、請求項２で規定するリブ４０がカバー体４６を支持している部分のトウヒール方向の寸法は、カバー体４６のトウヒール方向の寸法の全長とほぼ同じであるという規定を満たしていない。
具体的には、リブ４０がカバー体４６を支持している部分のトウヒール方向の寸法は、カバー体４６のトウヒール方向の寸法の全長の６６％であり、好ましい７０％を下回っている。
すなわち、図３８（Ｂ）に示すように、リブ４０がカバー体４６を支持している部分のトウヒール方向の寸法（Ｌｔｈ１＋Ｌｔｈ２＋Ｌｔｈ３）は、カバー体４６のトウヒール方向の寸法の全長（Ｌｃ１）の７０％を下回っている。
実験例８は、請求項２で規定するリブ４０がカバー体４６を支持している部分のトウヒール方向の寸法は、カバー体４６のトウヒール方向の寸法の全長とほぼ同じであるという規定を満たしている。
具体的には、リブ４０がカバー体４６を支持している部分のトウヒール方向の寸法は、カバー体４６のトウヒール方向の寸法の全長の７５％であり、７０％を上回っている。
すなわち、図３８（Ａ）に示すように、リブ４０がカバー体４６を支持している部分のトウヒール方向の寸法（Ｌｔｈ１＋Ｌｔｈ２＋Ｌｔｈ３）は、カバー体４６のトウヒール方向の寸法の全長（Ｌｃ１）の７０％を上回っている。
【００６５】
したがって、耐久性については実験例７が実験例８を若干上回っているものの、請求項１、２の規定を全て満たす実験例８は、カバー体４６の強度、剛性を確保する上で有利となるため、打球音を高音とする効果が確保され、打球音、飛距離ばらつき、左右のばらつき、合計点が本発明の範囲内ではあるが請求項２の規定を満たさない実験例７をほぼ上回っている。
【００６６】
（条件３）
図２５に示すように、請求項１、請求項２で規定する条件をその規定範囲内で一定条件とすると共に、請求項３で規定する条件を変更し、請求項４−８で規定する条件は一定条件とした。
すなわち、図４に示すように、請求項１で規定するカバー体４６が第１範囲Ａ１内に位置しており、請求項１で規定するリブ４０は、第２範囲Ａ２のほぼ中央位置に位置しており（第５範囲Ａ５内に位置しており）、本発明の範囲内である。
また、請求項２で規定するリブ４０がカバー体４６を支持している部分のトウヒール方向の寸法は、カバー体４６のトウヒール方向の寸法の全長とほぼ同じである（７０％）とし、規定内とした。
また請求項４で規定する境界部３０については幅５ｍｍで形成されているものとした。
請求項５で規定する厚肉部３１（図９（Ｂ））はその厚さが３ｍｍで長さ５０ｍｍで形成されているものとした。
請求項６で規定するヘッド質量は２００ｇとし、慣性モーメントＭＩは５５００ｇ・ｃｍ２とし、いずれも規定内とした。
請求項７で規定するヘッド体積は４６０ｃｃとし、ヘッド最大幅Ｍは１２５ｍｍとし、いずれも規定内とした。
請求項８で規定する大比重部４８は、フェースバック２８側にステンレス合金を配置した。
図２５、図３８（Ａ）に示すように、実験例９は、請求項３で規定するリブ４０の長さをゴルフクラブヘッド１０の内面の全周の７５％とし、８０％以上という規定を満たしていない。
実験例１０は、図３８（Ｂ）に示すように、請求項３で規定するリブ４０の長さをゴルフクラブヘッド１０の内面の全周の８５％とし、８０％以上という規定を満たしている。
【００６７】
したがって、請求項１、２、３の規定を全て満たす実験例１０は、カバー体４６の強度、剛性を確保する上でより有利となるため、打球音を高音とする効果が確保され、打球音、飛距離ばらつき、左右のばらつき、耐久性、合計点が請求項３の規定を満たさない実験例９を上回っている。
【００６８】
（条件４）
図２６に示すように、請求項１−３で規定する条件をその規定範囲内で一定条件とすると共に、請求項４、５で規定する条件を変更し、請求項６−８で規定する条件は一定条件とした。
すなわち、図４に示すように、請求項１で規定するカバー体４６が第１範囲Ａ１内に位置しており、請求項１で規定するリブ４０は、第２範囲Ａ２のほぼ中央位置に位置しており（第５範囲Ａ５内に位置しており）、本発明の範囲内である。
また、請求項２で規定するリブ４０がカバー体４６を支持している部分のトウヒール方向の寸法は、カバー体４６のトウヒール方向の寸法の全長とほぼ同じである（７０％）とし、規定内とした。
また、請求項３で規定するリブ４０の長さをゴルフクラブヘッド１０の内面の全周の１００％として、規定内とした。
請求項６で規定するヘッド質量は２００ｇとし、慣性モーメントＭＩは５５００ｇ・ｃｍ２とし、いずれも規定内とした。
請求項７で規定するヘッド体積は４６０ｃｃとし、ヘッド最大幅Ｍは１２５ｍｍとし、いずれも規定内とした。
請求項８で規定する大比重部４８は、フェースバック２８側にステンレス合金を配置した。
図３９に示すように、実験例１１は、請求項４で規定する境界部（金属部）３０が無く、かつ、請求項５で規定する厚肉部３１が無く、請求項４，５の規定を満たしていない。
実験例１２は、請求項４で規定する境界部３０の幅が５ｍｍで存在し、請求項５で規定する厚肉部３１の厚さが０．５ｍｍ、長さが５０ｍｍとなっており、請求項４の規定を満たしているものの、請求項５で規定する厚肉部３１の厚さは１ｍｍ未満である。
実験例１３は、請求項４で規定する境界部３０の幅が５ｍｍで存在し、請求項５で規定する厚肉部３１の厚さが３ｍｍ、長さが５０ｍｍとなっており、請求項４、５の規定を満たしている。
【００６９】
したがって、請求項１−５の規定を全て満たす実験例１３は、境界部３０および厚肉部３１が規定を満たしていることから、ヘッド本体１２の強度を確保しつつ、慣性モーメントＭＩを確保する上でより有利となるため、打球音、飛距離ばらつき、左右のばらつき、耐久性、合計点が請求項４、５の規定を満たさない実験例１１、１２を上回っている。
【００７０】
（条件５）
図２７に示すように、請求項１−５、８で規定する条件をその規定範囲内で一定条件とすると共に、請求項６、７で規定する条件を変更した。
すなわち、図４に示すように、請求項１で規定するカバー体４６が第１範囲Ａ１内に位置しており、請求項１で規定するリブ４０は、第２範囲Ａ２のほぼ中央位置に位置しており（第５範囲Ａ５内に位置しており）、本発明の範囲内である。
また、請求項２で規定するリブ４０がカバー体４６を支持している部分のトウヒール方向の寸法は、カバー体４６のトウヒール方向の寸法の全長とほぼ同じである（７０％）とし、規定内とした。
また、請求項３で規定するリブ４０の長さをゴルフクラブヘッド１０の内面の全周の１００％として、規定内とした。
請求項４で規定する境界部３０は幅５ｍｍとして規定内とした。
請求項５で規定する厚肉部３１は厚さ３ｍｍ、長さ５０ｍｍとして、規定内とした。
請求項８で規定する大比重部４８は、フェースバック２８側にステンレス合金を配置した。
【００７１】
図２７に示すように、実験例１４は、請求項６で規定するヘッド質量は１７５ｇ、慣性モーメントＭＩは４５００ｇ・ｃｍ２とし、規定内としたが、好ましいヘッド質量１８０〜２０５ｇ、慣性モーメントＭＩ５０００〜６０００ｇ・ｃｍ２からは外れた値とした。
また、請求項７で規定するヘッド体積４６０ｃｃとし、ヘッド最大幅Ｍは１２５ｍｍとし規定内とし、好ましいヘッド体積４４０〜４７０ｃｃ、ヘッド最大幅１２０〜１２７ｍｍの範囲内とした。
実験例１５は、請求項６で規定するヘッド質量は２００ｇ、慣性モーメントＭＩは４４００ｇ・ｃｍ２とし、規定内とし、好ましいヘッド質量１８０〜２０５ｇの範囲内であるが、好ましい慣性モーメントＭＩ５０００〜６０００ｇ・ｃｍ２からは外れた値とした。。
また、請求項７で規定するヘッド体積４２０ｃｃとし、ヘッド最大幅Ｍは１１８ｍｍとし規定内とし、好ましいヘッド体積４４０〜４７０ｃｃ、ヘッド最大幅１２０〜１２７ｍｍの範囲外とした。
た。
また、実験例１６は、請求項６で規定するヘッド質量は２００ｇ、慣性モーメントＭＩは５５００ｇ・ｃｍ２とし、規定内とし、好ましいヘッド質量１８０〜２０５ｇの範囲内であり、好ましい慣性モーメントＭＩ５０００〜６０００ｇ・ｃｍ２の範囲内とした。
また、請求項７で規定するヘッド体積４６０ｃｃとし、ヘッド最大幅Ｍは１２５ｍｍとし規定内とし、好ましいヘッド体積４４０〜４７０ｃｃ、ヘッド最大幅１２０〜１２７ｍｍの範囲内とした。
【００７２】
したがって、請求項１−７の規定を全て満たす実験例１６は、ヘッド質量、慣性モーメントＭＩ、ヘッド体積、ヘッド最大幅が規定を満たしていることから、慣性モーメントＭＩを確保する上でより有利となるため、打球音については請求項６または請求項７の規定を満たさない実験例１４，１５と同等以上であり、飛距離ばらつき、左右のばらつき、耐久性、合計点は請求項６または請求項７の規定を満たさない実験例１４，１５を上回っている。
【００７３】
（条件６）
図２８に示すように、請求項１−８のうち、請求項１で規定する条件をその規定範囲内で変更すると共に、請求項２−８で規定する条件を規定内で一定条件とした。
また、請求項２で規定するリブ４０がカバー体４６を支持している部分のトウヒール方向の寸法は、カバー体４６のトウヒール方向の寸法の全長とほぼ同じである（７０％）とし、規定内とした。
また、請求項３で規定するリブ４０の長さをゴルフクラブヘッド１０の内面の全周の１００％として、規定内とした。
請求項４で規定する境界部３０は幅５ｍｍとして規定内とした。
請求項５で規定する厚肉部３１は厚さ３ｍｍ、長さ５０ｍｍとして、規定内とした。
請求項６で規定するヘッド質量は２００ｇとし、慣性モーメントＭＩは５５００ｇ・ｃｍ２とし、いずれも規定内とした。
請求項７で規定するヘッド体積は４６０ｃｃとし、ヘッド最大幅Ｍは１２５ｍｍとし、いずれも規定内とした。
請求項８で規定する大比重部４８は、フェースバック２８側にステンレス合金を配置した。
したがって、以下の実験例１７〜２０は全て請求項１−８の規定を満たしている。
図３４に示すように、実験例１７は、カバー体４６が中央面Ｐ０と第４平面Ｐ４との間に位置している。
また、第２範囲Ａ２の中央位置βからフェース部１４方向にα／４離間した位置を通り中央面Ｐ０と平行な平面を第７平面Ｐ７とし、第２範囲Ａ２の中央位置βからフェースバック２８方向にα／４離間した位置を通り中央面Ｐ０と平行な平面を第８平面Ｐ８とすると、中央面Ｐ０と平行し中央位置βに位置する平面Ｐ２０と第８平面Ｐ８とで区画される範囲のほぼ中央に（第５範囲Ａ５内に）リブ４０が位置している。
【００７４】
図３５に示すように、実験例１８は、カバー体４６が中央面Ｐ０と第３平面Ｐ３との間に位置している。
また、第２範囲Ａ２の中央位置βからフェース部１４方向にα／４離間した位置を通り中央面Ｐ０と平行な平面を第７平面Ｐ７とし、第２範囲Ａ２の中央位置βからフェースバック２８方向にα／４離間した位置を通り中央面Ｐ０と平行な平面を第８平面Ｐ８とすると、中央面Ｐ０と平行し中央位置βに位置する平面Ｐ２０と第７平面Ｐ７とで区画される範囲のほぼ中央に（第５範囲Ａ５内に）リブ４０が位置している。
【００７５】
図３６に示すように、実験例１９は、カバー体４６が、中央面Ｐ０をフェース部１４側にＭ／８分平行移動させた第１０平面Ｐ１０と、中央面Ｐ０をフェースバック２８側にＭ／８分平行移動させた第１１平面Ｐ１１との間に位置している。
また、第２範囲Ａ２の中央位置βからフェース部１４方向にα／４離間した位置を通り中央面Ｐ０と平行な平面を第７平面Ｐ７とし、第２範囲Ａ２の中央位置βからフェースバック２８方向にα／４離間した位置を通り中央面Ｐ０と平行な平面を第８平面Ｐ８とすると、第７平面Ｐ７と第８平面Ｐ８とで区画される範囲のほぼ中央に（第５範囲Ａ５内に）リブ４０が位置している。
【００７６】
図３７に示すよう、実験例２０は、カバー体４６が第５平面Ｐ５と第６平面Ｐ６との間に位置している。
また、第２範囲Ａ２の中央位置βからフェース部１４方向にα／４離間した位置を通り中央面Ｐ０と平行な平面を第７平面Ｐ７とし、第２範囲Ａ２の中央位置βからフェースバック２８方向にα／４離間した位置を通り中央面Ｐ０と平行な平面を第８平面Ｐ８とすると、第７平面Ｐ７と第８平面Ｐ８とで区画される範囲のほぼ中央に（第５範囲Ａ５内に）リブ４０が位置している。
【００７７】
したがって、請求項１−８の規定を全て満たす実験例１７〜２０は、慣性モーメントＭＩを確保すると共に、打球音を高音とする上で有利となることから、打球音、飛距離ばらつき、左右のばらつき、耐久性、合計点が他の実験例１〜１６をほぼ上回っている。
【００７８】
（変形例）
図４０は、第１の実施の形態の変形例を示す。
この変形例では、リブ４０に加えて、カバー体４０を支持する支持板部６０が別に設けられている。
支持板部６０は、ヘッド本体１２と同じ金属材料で形成されている。
支持板部６０は、カバー体４６が第１開口部３２Ａを介して空間１３に対向するカバー体４６の内面の部分を空間１３側から支持するものである。
支持板部６０は、第１開口部３２Ａを横切るようにフェース部１４とフェースバック２８とを結ぶ方向に沿って延在して形成されている、
カバー体４６の内面に重ね合わされる支持板部６０の外面は、ヘッド本体１２の外面よりもカバー体４６の厚さＴｃ分ヘッド本体１２の内部に変位した箇所に設けられている。
支持板部６０の両端は、横板部３８に接続され、支持板部６０と横板部３８とが交差する箇所では、支持板部６０の外面と横板部３８の外面とが同一面上に位置している。
【００７９】
カバー体４６は、その内面がヘッド本体１２の外側から取り付け部３４の横板部３８の外面および境界部３０の外面、リブ４０の支持壁部４２の外面、支持板部６０の外面に重ね合わされ、カバー体４６が縦板部３６の内側にはまり込んで各開口部３２Ａ〜３２Ｃを閉塞した状態で、接着やカシメなど従来公知の結合方法で取り付け部３４および各リブ４０の支持壁部４２並びに支持板部６０に取り付けられ（一体的に結合され）、これによりゴルフクラブヘッド１０が組み立てられる。
このような変形例によれば、支持壁部６０によってヘッド本体１２の剛性が高められるため、打球時に発生する打球音を高音とする上でより有利となり、心地よい打球音を得る上でより有利となる。
なお、本例では、支持板部６０が、第１開口部３２Ａのトウヒール方向のほぼ中央に１つ設けられている場合について示したが、支持板部６０をトウヒール方向に間隔をおいて複数設けても良い。
【００８０】
（第２の実施の形態）
次に図４１を参照して第２の実施の形態について説明する。
なお、以下の実施の形態では、第１の実施の形態と同様の部分、部材については第１の実施の形態と同一の符号を付してその説明を省略する。
第２の実施の形態は、リブ４０を省略すると共に、フェースバック２８側に大比重部５０を設けた点が第１の実施の形態と異なっている。
【００８１】
図４０に示すように、ゴルフクラブヘッド１０Ａは、第１の実施の形態と同様に構成されたヘッド本体１２Ａと、カバー体４６とを備えており、ヘッド本体１２Ａには、第１の実施の形態と同様の開口部３２（第１〜第３開口部３２Ａ〜３２Ｃ）が設けられている。
ゴルフクラブヘッドの１０Ａの基準状態で、水平面ＨＰおよびフェース中心基準断面Ｐｆｃと直交しリーディングエッジ２６に当接する平面を第１平面Ｐ１とし、第１平面Ｐ１と平行しフェースバック２８の外面に当接する平面を第２平面Ｐ２とし、ヘッド本体１２Ａを平面視したときに、第１平面Ｐ１と第２平面Ｐ２との距離をヘッド最大幅Ｍとする。
第１平面Ｐ１と第２平面Ｐ２とを結ぶ寸法の１／２の位置で第１平面Ｐ１および第２平面Ｐ２と平行する平面を中心面Ｐ０とする。
中心面Ｐ０からフェース部側にヘッド最大幅Ｍの１／４離間した位置で中心面Ｐ０と平行する平面を第３平面Ｐ３とする。
中心面Ｐ０からフェースバック２８側にヘッド最大幅Ｍの１／４離間した位置で中心面Ｐ０と平行する平面を第４平面Ｐ４とする。
第３平面Ｐ３と第４平面Ｐ４とで区画された第１範囲Ａ１内にカバー体４６が位置している。
ヘッド本体１２Ａのうち、第４平面Ｐ４からフェースバック２８までの第４範囲Ａ４に位置する部分に、第４範囲Ａ４を除く残りの部分の比重よりも比重の大きな（金属）材料で形成された大比重部５０が設けられている。
例えば、大比重部５０はタングステン合金（比重１２）で構成されており、大比重部５０を除くヘッド本体１２Ａはチタン合金（比重４．４）で構成されている。
【００８２】
第２の実施の形態によれば、金属材料で形成された中空状のヘッド本体１２に形成された開口部３２をヘッド本体１２の外側から繊維強化樹脂材料からなるカバー体４６で閉塞した。
したがって、カバー体４６がゴルフクラブヘッド１０の重心点Ｇ０から近い箇所に配置されると共に、カバー体４６よりも比重の重い金属材料で形成された大比重部５０が重心点Ｇ０から遠いヘッド本体１２の箇所に配置されることにより、ゴルフクラブヘッド１０の慣性モーメントＭＩを確保でき、打球の方向性の向上を図る上で有利となる。
さらに、打球時の振動起点となるフェース部１４から最も離れたフェースバック２８寄りの箇所に大比重部５０を設けたので、打球時に発生する振動がヘッド本体１２Ａの部分を介して重量物である大比重部５０に伝わる過程において、いわゆる、マスダンパー機能と同様の作用が発生し、振動が減衰される。
この際、振動のうち、より低周波数の振動成分が減衰されやすくなることから、打球音は低音の成分が減衰される一方、高音の成分はそれほど減衰されない。
したがって、金属材料からなるヘッド本体１２Ａよりも剛性、弾性率が低いカバー体４６で開口部３２を閉塞する構造であるにも拘らず、打球時に発生する打球音を高音とすることができ、心地よい打球音を得る上で有利となる。
【００８３】
次に図４２を参照して第２の実施の形態の変形例について説明する。
変形例では、フェースバック２８に大比重部５０を設けることに加えて、フェース部１４にも大比重部５２を設けた点が第２の実施の形態と異なっている。
すなわち、フェース部１４の大部分（あるいは全部）を、βチタンＤＡＴ５５Ｇ（比重４．７）を用いた大比重部５２で構成した。
したがって、タングステン合金（比重１２）からなる大比重部５０と、βチタンＤＡＴ５５Ｇ（比重４．７）からなる大比重部５２とを除く残りのヘッド本体１２の部分はチタン合金（比重４．４）で構成されている
すなわち、ヘッド本体１２のうち第４範囲Ａ４に位置する部分の比重を後部比重Ｇａとし、ヘッド本体１２のうち第１平面Ｐ１と第３平面Ｐ３とで区画された第３範囲Ａ３に位置する部分の比重を前部比重Ｇｂとし、ヘッド本体１２のうち第１範囲Ａ１に位置する部分の比重を中間部比重Ｇｃとしたとき、以下の式（１）が満たされている。
Ｇａ＞Ｇｂ＞Ｇｃ……（１）
このような構成とすれば、第２の実施の形態の効果に加え、重心点Ｇ０から離れた箇所に大比重部５０，５２の２つの大比重部を配置するので、慣性モーメントＭＩをより大きく確保する上で有利となるという効果が奏される。
【００８４】
以下、第２の実施の形態およびその変形例を反映した実験例のゴルフクラブヘッド１０について説明する。
なお、実験例のヘッド本体１２Ａは第１の実施の形態と同様に以下のように作成した。
ヘッド本体１２の材料：チタン合金  Ti-8Al-1Mo-1V
フェース１４の材料：Ti-6Al-4V
カバー体４６の材料：ＣＦＲＰ（炭素繊維強化樹脂）
カバー体４６の厚さＴｃ：０．６ｍｍ
大比重部５０の材料：タングステン合金（比重１２）質量６０ｇを設けたものとした。
大比重部５２の材料：βチタンＤＡＴ５５Ｇ（比重４．７）質量５８ｇを設けたものとした。
ロフト角  １０．５°
ライ角  ５９°
ヘッド体積  ４６０cc
【００８５】
図４３に示すように、比較例である実験例１と、請求項９の規定を満たす実験例２１と、請求項１０の規定を満たす実験例２２とについて実験を行った。
図４１に示すように、請求項９の規定を満たす実験例２１は、慣性モーメントＭＩを確保すると共に、打球音を高音とする上で有利となるため、打球音、飛距離ばらつき、左右のばらつき、耐久性、合計点が本発明の範囲外である実験例１を上回っている。
また、請求項１０の規定を満たす実験例２２は、慣性モーメントＭＩを確保する上でより有利となるため、実験例２１よりも打球音、飛距離のばらつき、左右のばらつきの評価がより高くなり合計点も高くなっている。
【符号の説明】
【００８６】
１０、１０Ａ  ゴルフクラブヘッド
１２、１２Ａ  ヘッド本体
１３  空間
１４  フェース部
１６  クラウン部
１８  ソール部
２０  サイド部
２２  トウ
２４  ヒール
２６  リーディングエッジ
２８  フェースバック
２９  ホーゼル
３０  境界部
３１  厚肉部
３２  開口部
３２Ａ  第１開口部
３２Ｂ  第２開口部
３２Ｃ  第３開口部
３４  取り付け部
４０  リブ
４０Ａ  第１リブ部
４０Ｂ  第２リブ部
４０Ｃ  第３リブ部
４０Ｄ  第４リブ部
４０Ｅ  第５リブ部
４２  支持壁部
４４  補強壁部
４６  カバー体
４６Ａ  トウ側カバー体
４６Ｂ  ヒール側カバー体
４８  大比重部
５０  大比重部
５２  大比重部
Ｐｆｃ  フェース中心基準断面
Ｐ０  中心面
Ｐ１  第１平面
Ｐ２  第２平面
Ｐ３  第３平面
Ｐ４  第４平面
Ｐ５  第５平面
Ｐ６  第６平面
Ａ１  第１範囲
Ａ２  第２範囲
Ａ３  第３範囲
Ａ４  第４範囲
ＨＰ  水平面
Ｍ  ヘッド最大幅
【要約】
【課題】慣性モーメントの向上を図りつつ心地よい打球音を得る上で有利なゴルフクラブヘッドを提供する。
【解決手段】カバー体４６が第１範囲Ａ１内に位置していると、慣性モーメントＭＩを確保する上で有利となる。重心点Ｇ０から近い箇所に比重が軽いカバー体４６が位置し、重心点Ｇ０から遠い箇所に比重が重いヘッド本体１２の部分が位置するためである。第２範囲Ａ２のほぼ中央位置においてリブ４０が開口部３２を横切るようにトウヒール方向に延在して形成されている。リブ４０によってカバー体４６が補強され、カバー体４６の強度、剛性が高められることから打球音が高音となりやすく、心地よい打球音を得る上で有利となる。
【選択図】図４【図１】
0006795776.tif 000002
【図２】
0006795776.tif 000003
【図３】
0006795776.tif 000004
【図４】
0006795776.tif 000005
【図５】
0006795776.tif 000006
【図６】
0006795776.tif 000007
【図７】
0006795776.tif 000008
【図８】
0006795776.tif 000009
【図９】
0006795776.tif 000010
【図１０】
0006795776.tif 000011
【図１１】
0006795776.tif 000012
【図１２】
0006795776.tif 000013
【図１３】
0006795776.tif 000014
【図１４】
0006795776.tif 000015
【図１５】
0006795776.tif 000016
【図１６】
0006795776.tif 000017
【図１７】
0006795776.tif 000018
【図１８】
0006795776.tif 000019
【図１９】
0006795776.tif 000020
【図２０】
0006795776.tif 000021
【図２１】
0006795776.tif 000022
【図２２】
0006795776.tif 000023
【図２３】
0006795776.tif 000024
【図２４】
0006795776.tif 000025
【図２５】
0006795776.tif 000026
【図２６】
0006795776.tif 000027
【図２７】
0006795776.tif 000028
【図２８】
0006795776.tif 000029
【図２９】
0006795776.tif 000030
【図３０】
0006795776.tif 000031
【図３１】
0006795776.tif 000032
【図３２】
0006795776.tif 000033
【図３３】
0006795776.tif 000034
【図３４】
0006795776.tif 000035
【図３５】
0006795776.tif 000036
【図３６】
0006795776.tif 000037
【図３７】
0006795776.tif 000038
【図３８】
0006795776.tif 000039
【図３９】
0006795776.tif 000040
【図４０】
0006795776.tif 000041
【図４１】
0006795776.tif 000042
【図４２】
0006795776.tif 000043
【図４３】
0006795776.tif 000044